(57)【要約】【課題】  バルク超電導体を効率よく冷却することができ、且つ、着磁化されたバルク超電導体の磁束を効率よく利用することができる超電導同期機を提供する。【解決手段】  回転軸２に回転板３を設け、回転板３にバルク超電導体４を固定し、バルク超電導体４の回転軌道の両側に周方向に所定間隔で互いに対向するように電機子５を配設し、回転板３はバルク超電導体４の結晶のｃ軸が回転軸２と平行になり、かつ、バルク超電導体４のｃ軸方向の両端面が外部に露出するように、バルク超電導体４をｃ軸に関する側面で保持し、回転板３と回転軸２は冷媒源に連通する冷媒流路６，７，８を有し、バルク超電導体のｃ軸に関する側面は、回転板３の冷媒流路６の内部空間に開放され、あるいは、仕切壁を介して回転板３の冷媒流路６に接している。【選択図】  図１
2005224000.tif 000002
【特許請求の範囲】
【請求項１】
回転軸に回転板を設け、該回転板にバルク超電導体を固定し、前記バルク超電導体の回転軌道の両側に周方向に所定間隔で互いに対向するように電機子を配設した超電導同期機において、
前記回転板は、前記バルク超電導体の結晶のｃ軸が前記回転軸と平行になり、かつ、前記バルク超電導体のｃ軸方向の両端面が外部に露出するように、前記バルク超電導体を前記ｃ軸に関する側面で保持し、
前記回転板と前記回転軸は冷媒源に連通する冷媒流路を有し、
前記バルク超電導体のｃ軸に関する側面は、前記回転板の冷媒流路の内部空間に開放され、あるいは、仕切壁を介して前記回転板の冷媒流路に接している、ことを特徴とする超電導同期機。
【請求項２】
前記回転軸は、冷媒の供給側と回収側の流路を形成する２重以上の多重管からなり、
前記回転軸の供給側冷媒流路は前記回転板の冷媒流路に連通し、前記バルク超電導体のｃ軸に関する側面を周回し、前記回転軸の回収側冷媒流路に連通する、ことを特徴とする請求項１に記載の超電導同期機。
【請求項３】
前記バルク超電導体のｃ軸に関する側面に接する仕切壁は回転板と一体の部材あるいは回転板本体と別個の伝熱部材からなる、ことを特徴とする請求項１に記載の超電導同期機。
【請求項４】
回転軸に回転板を設け、該回転板にバルク超電導体を固定し、前記バルク超電導体の回転軌道の両側に周方向に所定間隔で互いに対向するように電機子を配設した超電導同期機において、
前記回転板は空洞部を有し、前記空洞部は前記バルク超電導体の結晶のｃ軸が前記回転軸と平行になるように前記バルク超電導体をその内部に収容固定し、
前記回転軸は冷媒源に連通する冷媒流路を有し、
前記回転軸の冷媒流路は前記回転板の空洞部に連通し、前記バルク超電導体の外表面は固定部材との接触部分を除いて前記空洞部内の空間に開放されている、ことを特徴とする超電導同期機。
【請求項５】
前記回転軸は、冷媒の供給側と回収側の流路を形成する２重以上の多重管からなり、
前記回転軸の供給側冷媒流路は前記回転板の空洞部に連通し、前記回転板の空洞部は前記回転軸の回収側冷媒流路に連通する、ことを特徴とする請求項４に記載の超電導同期機。
【請求項６】
前記電機子は冷媒容器によって保持され、前記電機子は前記バルク超電導体と対向する面及び前記冷媒容器によって保持される外表面を除く外表面が前記冷媒容器の内部空間に開放され、あるいは仕切壁を介して前記冷媒容器内の空間と接している、ことを特徴とする請求項１〜５のいずれか一項に記載の超電導体同期機。
【請求項７】
前記回転軸の少なくとも一部と回転板と電機子と電機子の冷媒容器を内包するハウジングを有し、
前記ハウジングは、ハウジングの内部空間と真空装置とを接続する減圧ダクトまたは減圧ノズルを有する、ことを特徴とする請求項６に記載の超電導同期機。
【請求項８】
前記ハウジングは真空室かつ防爆室を構成する、ことを特徴とする請求項７に記載の超電導同期機。
【請求項９】
前記回転板は前記回転軸上に複数枚固定され、隣接する回転板の間、及び回転板の列方向の両端外側に前記電機子を設けた、ことを特徴とする請求項１〜８のいずれか一項に記載の超電導同期機。
【請求項１０】
前記ハウジングに前記ハウジングから突出した前記回転軸を内包する付加ハウジングを取り付け、前記付加ハウジングに真空装置に連通する減圧ダクトまたは減圧ノズルを設けるとともに、冷媒源と連通する冷媒配管を前記付加ハウジングに挿通固定し、前記冷媒配管の挿入端部に、前記回転軸の端部を前記付加ハウジングと非接触の状態で支持するとともに、前記回転軸の冷媒流路と前記冷媒配管に連通する流路を設けた支承部材を固定した、ことを特徴とする請求項７，８，９のいずれか一項に記載の超電導同期機。
【請求項１１】
回転軸に複数枚の回転板を所定間隔に設け、該回転板にバルク超電導体を固定し、前記回転板の間および前記回転板の列方向の両端外側に前記バルク超電導体の回転軌道の近傍に周方向に所定間隔で電機子を配設し、
前記回転板は、前記バルク超電導体の結晶のｃ軸が前記回転軸と平行になり、かつ、前記バルク超電導体のｃ軸方向の両端面が外部に露出するように、前記バルク超電導体を前記ｃ軸に関する側面で保持し、
前記回転板と前記回転軸は冷媒源に連通する冷媒流路を有し、
前記バルク超電導体のｃ軸に関する側面は、前記回転板の冷媒流路の内部空間に開放され、あるいは、仕切壁を介して前記回転板の冷媒流路に接しており、
前記電機子と前記回転板と前記回転軸の一部を内包するポッドを有し、
前記回転軸の一端部はポッドから突出し先端部にプロペラを有する、ことを特徴とする舶用ポッド推進機。
【請求項１２】
回転軸に複数枚の回転板を所定間隔に設け、該回転板にバルク超電導体を固定し、前記回転板の間および前記回転板の列方向の両端外側に前記バルク超電導体の回転軌道の近傍に周方向に所定間隔で電機子を配設し、
前記回転板は空洞部を有し、前記空洞部は前記バルク超電導体の結晶のｃ軸が前記回転軸と平行になるように前記バルク超電導体をその内部に収容固定し、
前記回転軸は冷媒源に連通する冷媒流路を有し、
前記回転軸の冷媒流路は前記回転板の空洞部に連通し、前記バルク超電導体の外表面は固定部材との接触部分を除いて前記空洞部内の空間に開放されており、
前記電機子と前記回転板と前記回転軸の一部を内包するポッドを有し、
前記回転軸の一端部はポッドから突出し先端部にプロペラを有する、ことを特徴とする舶用ポッド推進機。
【発明の詳細な説明】
【技術分野】
【０００１】
本発明はバルク超電導体（超電導体）を使用したアキシャルギャップ型超電導同期機に関する。特に、バルク超電導体の冷却効率を良くするとともに、アキシャルギャップを小さくすることができる超電導同期機に関する。
【０００２】
また、本発明は、上記超電導同期機を利用した、推進方向に対する横断面積が小さく、かつ、推進力が大きい舶用ポッド推進機に関する。
【背景技術】
【０００３】
従来から、ステーター側にバルク超電導体を使用したアキシャルギャップ型の超電導同期機があった。
【０００４】
たとえば、特開平７−８７７２４号公報には、回転電機子に関して回転軸の軸方向両側に界磁用の磁石部を設け、前記磁石部にバルク超電導体とその周囲にコイルを巻き回したものを使用したものが開示されている。前記磁石部は、液体ヘリウム容器に保持され、その周面の一部と底面が液体ヘリウム容器の内部空間に開放されている。
【０００５】
この従来の超電導同期機においては、液体ヘリウム容器に液体ヘリウムを供給し、バルク超電導体とその周面のコイルを絶対温度４．２度に冷却し、バルク超電導体が超電導状態に転移した後にコイルに電流を流しバルク超電導体を着磁させる。
【０００６】
このようにバルク超電導体を着磁した状態で、ブラシを介して回転電機子のコイルに電流を流し、回転電機子のコイルに回転磁界を発生させ、着磁されたバルク超電導体との間の力の作用によって回転力を得るようにしている。
【特許文献１】特許第２８２２５７０号公報
【特許文献２】特開平７−８７７２４号公報
【発明の開示】
【発明が解決しようとする課題】
【０００７】
上記従来の超電導同期機は、バルク超電導体を使用することによってその強力な磁力を利用できるが、バルク超電導体を同期機の固定子側に使用するため、バルク超電導体の２つの磁極のうち、回転電機子に面する側の一つの磁極から出る磁束しか駆動や発電に利用することができなかった。
【０００８】
そこで、本発明が解決しようとする課題の一つは、バルク超電導体の両磁極から出る磁束を利用できる超電導同期機を提供することにある。
【０００９】
上記課題に対して、本発明の発明者は、バルク超電導体を回転子側に使用し、バルク超電導体の回転軸方向の両側に電機子を配置した構造のアキシャルギャップ型の超電導同期機を考案した。
【００１０】
この構成によれば、着磁されたバルク超電導体の両端に電機子のコイルが対面することができ、着磁されたバルク超電導体の両磁極から出る磁束が電機子コイルと相互作用を及ぼし、駆動あるいは発電に利用される。
【００１１】
しかし、上記構造の超電導同期機において、バルク超電導体を超電導状態に転移する臨界温度以下の温度に冷却し、その超伝導状態を維持するため、固定された冷媒源から回転運動をする回転子のバルク超電導体に常時冷媒を供給するための構造を提供しなければならない。
【００１２】
また、アキシャルギャップ型の超電導同期機を構成する場合、磁石と電機子の間の作用を強くするために回転軸の軸方向（以下、単に「軸方向」という）のバルク超電導体の端面を可能な限り電機子に近づける方が好ましい、すなわちアキシャルギャップは可能な限り小さい方が好ましい。
【００１３】
その一方で、超伝導状態を生成・維持するためにバルク超電導体を効率よく冷却することが要求される。この点については、上記従来のアキシャルギャップ型超電導同期機は、バルク超電導体を着磁させるためのコイルがバルク超電導体の周面に巻着されている。したがって、バルク超電導体を直接冷却することができず、バルク超電導体の冷却効率が低かった。
【００１４】
そこで、本発明が解決しようとする他の課題は、バルク超電導体を効率よく冷却することができ、且つ、着磁化されたバルク超電導体の磁束を効率よく利用することができる超電導同期機を提供することにある。
【００１５】
さらに、本発明は、本発明の超電導同期機を利用した舶用ポッド推進機に関する。
【００１６】
従来、円筒状の回転子の外周面にバルク超電導体を固定し、その外周に回転子と同軸の円筒状の電機子コイルを配設したラジアルギャップ型の舶用ポッド推進機は提案されていた。
【００１７】
ラジアルギャップ型の舶用ポッド推進機は、回転子の外周に設けられたバルク超電導体とさらにその外周に設けられた電機子コイルとの間で力が発生し、回転軸に関して離れたところで力が発生するため、回転トルクが大きいという利点がある。
【００１８】
しかし、ラジアルギャップ型の舶用ポッド推進機は、同一のバルク超電導体の磁力によって大きな回転トルクを得ようとすると、回転子の半径を大きくし、力の作用点から回転軸までの距離をさらに大きくしなければならなかった。
【００１９】
ところが、回転子の半径を大きくすれば、舶用ポッド推進機の半径が増大し、推進方向に対する舶用ポッド推進機の横断面積が増大する結果、推進抵抗も増大することになる。このため、ラジアルギャップ型舶用ポッド推進機において出力を大きくすることには限界があった。
【００２０】
そこで、本発明が解決しようとするさらに他の課題は、推進抵抗が小さく、且つ、推進力が大きい舶用ポッド推進機を提供することにある。
【課題を解決するための手段】
【００２１】
本発明の発明者は、バルク超電導体は結晶のｃ軸方向に、それと直交するａ，ｂ軸方向に比して高い磁界密度を発生し、且つ、バルク超電導体は前記ｃ軸に比してａ軸，ｂ軸方向から冷却しやすいという知見の下に、これらの性質を巧みに利用して本発明を発明したものである。
【００２２】
すなわち、本発明の超電導同期機は、回転軸に回転板を設け、該回転板にバルク超電導体を固定し、前記バルク超電導体の回転軌道の両側に周方向に所定間隔で互いに対向するように電機子を配設した超電導同期機において、前記回転板は、前記バルク超電導体の結晶のｃ軸が前記回転軸と平行になり、かつ、前記バルク超電導体のｃ軸方向の両端面が外部に露出するように、前記バルク超電導体を前記ｃ軸に関する側面で保持し、前記回転板と前記回転軸は冷媒源に連通する冷媒流路を有し、前記バルク超電導体のｃ軸に関する側面は、前記回転板の冷媒流路の内部空間に開放され、あるいは、仕切壁を介して前記回転板の冷媒流路に接している、ことを特徴とするものである。
【００２３】
前記回転軸は、冷媒の供給側と回収側の流路を形成する２重以上の多重管からなり、前記回転軸の供給側冷媒流路は前記回転板の冷媒流路に連通し、前記バルク超電導体のｃ軸に関する側面を周回し、前記回転軸の回収側冷媒流路に連通するようにすることができる。
【００２４】
また、前記バルク超電導体のｃ軸に関する側面に接する仕切壁は回転板と一体の部材あるいは回転板本体と別個の伝熱部材からなるようにすることができる。
【００２５】
本発明の超電導同期機は、回転軸に回転板を設け、該回転板にバルク超電導体を固定し、前記バルク超電導体の回転軌道の両側に周方向に所定間隔で互いに対向するように電機子を配設した超電導同期機において、前記回転板は空洞部を有し、前記空洞部は前記バルク超電導体の結晶のｃ軸が前記回転軸と平行になるように前記バルク超電導体をその内部に収容固定し、前記回転軸は冷媒源に連通する冷媒流路を有し、前記回転軸の冷媒流路は前記回転板の空洞部に連通し、前記バルク超電導体の外表面は固定部材との接触部分を除いて前記空洞部内の空間に開放されている、ことを特徴とするものである。
【００２６】
前記回転軸は、冷媒の供給側と回収側の流路を形成する２重以上の多重管からなり、前記回転軸の供給側冷媒流路は前記回転板の空洞部に連通し、前記回転板の空洞部は前記回転軸の回収側冷媒流路に連通するようにすることができる。
【００２７】
前記電機子は冷媒容器によって保持され、前記電機子は前記バルク超電導体と対向する面及び前記冷媒容器によって保持される外表面を除く外表面が前記冷媒容器の内部空間に開放され、あるいは仕切壁を介して前記冷媒容器内の空間と接しているようにすることができる。
【００２８】
前記回転軸と回転板と電機子と電機子の冷媒容器を内包するハウジングを有し、前記ハウジングは、ハウジングの内部空間と真空装置とを接続する減圧ダクトまたは減圧ノズルを有するようにすることができる。
【００２９】
前記ハウジングは真空室かつ防爆室を構成することが好ましい。
【００３０】
前記回転板は前記回転軸上に複数枚固定され、隣接する回転板の間、及び回転板の列方向の両端外側に前記電機子を設けるようにすることができる。
【００３１】
前記ハウジングに前記ハウジングから突出した前記回転軸を内包する付加ハウジングを取り付け、前記付加ハウジングに真空装置に連通する減圧ダクトまたは減圧ノズルを設けるとともに、冷媒源と連通する冷媒配管を前記付加ハウジングに挿通固定し、前記冷媒配管の挿入端部に、前記回転軸の端部を前記付加ハウジングと非接触の状態で支持するとともに、前記回転軸の冷媒流路と前記冷媒配管に連通する流路を設けた支承部材を固定するようにすることができる。
【００３２】
本発明による舶用ポッド推進機は、回転軸に複数枚の回転板を所定間隔に設け、該回転板にバルク超電導体を固定し、前記回転板の間および前記回転板の列方向の両端外側に前記バルク超電導体の回転軌道の近傍に周方向に所定間隔で電機子を配設し、前記回転板は、前記バルク超電導体の結晶のｃ軸が前記回転軸と平行になり、かつ、前記バルク超電導体のｃ軸方向の両端面が外部に露出するように、前記バルク超電導体を前記ｃ軸に関する側面で保持し、前記回転板と前記回転軸は冷媒源に連通する冷媒流路を有し、前記バルク超電導体のｃ軸に関する側面は、前記回転板の冷媒流路の内部空間に開放され、あるいは、仕切壁を介して前記回転板の冷媒流路に接しており、前記電機子と前記回転板と前記回転軸の一部を内包するポッドを有し、前記回転軸の一端部はポッドから突出し先端部にプロペラを有する、ことを特徴とするものである。
【００３３】
また、本発明による舶用ポッド推進機は、回転軸に複数枚の回転板を所定間隔に設け、該回転板にバルク超電導体を固定し、前記回転板の間および前記回転板の列方向の両端外側に前記バルク超電導体の回転軌道の近傍に周方向に所定間隔で電機子を配設し、前記回転板は空洞部を有し、前記空洞部は前記バルク超電導体の結晶のｃ軸が前記回転軸と平行になるように前記バルク超電導体をその内部に収容固定し、前記回転軸は冷媒源に連通する冷媒流路を有し、前記回転軸の冷媒流路は前記回転板の空洞部に連通し、前記バルク超電導体の外表面は冷媒流路は前記回転板の空洞部に連通し、前記バルク超電導体の外表面は固定部材との接触部分を除いて前記空洞部内の空間に開放されており、前記電機子と前記回転板と前記回転軸の一部を内包するポッドを有し、前記回転軸の一端部はポッドから突出し先端部にプロペラを有する、ことを特徴とするものである。
【発明の効果】
【００３４】
本発明の一つの超電導同期機によれば、バルク超電導体は、ｃ軸が回転軸と平行になり、ｃ軸方向の両端面が回転板の外部に露出している。この発明では、バルク超電導体が着磁された後は、磁束密度が高いｃ軸方向端面が電機子コイルと対向するようになっている。しかも、本発明のバルク超電導体のｃ軸方向端面は回転板から露出しているため、可能な限りｃ軸方向端面と電機子コイルの間の距離、すなわちアキシャルギャップを最小にすることができる。これにより、着磁後のバルク超電導体の磁束を最大限利用することができる。
【００３５】
さらに、本発明のバルク超電導体は、ｃ軸に関する側面、すなわち結晶のａ，ｂ軸方向の周面で回転板によって保持され、かつ、ａ，ｂ軸方向の周面から冷媒によって冷却されるようになっている。バルク超電導体は、前述の通りｃ軸方向に比してａ，ｂ軸方向から冷却されやすい。しかも、本発明のバルク超電導体は外周に着磁用コイルが巻回されていないため、直接バルク超電導体を冷却でき、冷却効率が高い。
【００３６】
このように、本発明によれば、冷却効率が高く、且つ、着磁されたバルク超電導体のｃ軸方向の両端面が電機子コイルと至近距離で対向し、強い回転力あるいは誘導起電力を発生させる超電導同期機を実現することができる。
【００３７】
本発明の一つの超電導同期機によれば、バルク超電導体を回転板の空洞部に収容・固定し、空洞部に冷媒流路を連通させ、バルク超電導体の外表面は固定部材との接触部分を除いて空洞部内の空間に開放されている。
【００３８】
本発明によれば、バルク超電導体のｃ軸方向の両端面が電機子コイルと対向するようになっており、着磁後のバルク超電導体の両磁極の磁束を利用できる。また、本発明によれば、ａ，ｂ軸方向に比して磁束密度が高いｃ軸方向の磁極を電機子コイルに対向させることにより、強い回転力あるいは誘導起電力を発生させることができる。
【００３９】
さらに、本発明によれば、バルク超電導体の外表面は固定部材との接触部分を除いて空洞部内の空間に開放されているので、バルク超電導体の外表面のほぼ全部が冷媒によって冷却され、冷却効率が高い超電導同期機を得ることができる。
【００４０】
本発明の舶用ポッド推進機によれば、回転軸方向に複数の回転板を配設し、その数に比例して強い回転力を得ることができる。その一方、かかる回転力の増大を図っても、回転板の半径、ひいては舶用ポッド推進機の推進方向に対する横断面積が増大しないので、推進抵抗の増大が緩やかである。その結果、推力が強く推進抵抗が少ない舶用ポッド推進機を得ることができる。
【発明を実施するための最良の形態】
【００４１】
以下に本発明の実施の形態について説明する。
【００４２】
図１は本発明の一実施形態による超電導同期機の縦断面を示している。
【００４３】
本実施形態による超電導同期機１は、回転軸２上に回転板３を設け、回転板３上にバルク超電導体４を固定している。
【００４４】
バルク超電導体４の回転軌道の両側に周方向に一定の間隔で互いに対向するように電機子５が設けられている。
【００４５】
回転板３は内部に冷媒を流通させる冷媒流路６を有している。
【００４６】
また、回転軸２は多重管からなり、図示しない冷媒源に接続する、供給側の冷媒流路７と回収側の冷媒流路８を有している。
【００４７】
電機子５は、冷媒容器９によって保持されている。電機子の冷媒容器９は、冷媒配管１０，１１によって図示しない冷媒源に接続されている。
【００４８】
前記回転軸２の一部と回転板３と電機子５はハウジング１２によって囲まれている。
【００４９】
ハウジング１２は、図示しない真空装置とを接続する減圧ダクトまたは減圧ノズル１３を有している。また、本実施形態のハウジング１２は内部を観察できる窓１４を有している。
【００５０】
回転軸２とハウジング１２の間には、構造的に十分強度を有するスリーブ１５，１６が介挿されている。
【００５１】
スリーブ１５，１６は、内端部がフランジになっており、回転板３に固定でき、回転軸２と回転板３とを支持している。
【００５２】
スリーブ１５，１６とハウジング１２の間にはベアリング１７，１８が介装され、スリーブ１５，１６と回転軸２の間にはシール材１９，２０が介装されている。
【００５３】
本実施形態では、ハウジング１２の側壁に付加ハウジング２１が取り付けられている。
【００５４】
付加ハウジング２１には図示しない真空装置に連通する減圧ダクトまたは減圧ノズル２２が設けられている。付加ハウジング２１には、冷媒源と連通する供給側冷媒配管２３と回収側冷媒配管２４が挿通され、固定されている。供給側冷媒配管２３と回収側冷媒配管２４の挿入端部には、付加ハウジング２１と非接触状態で支承部材２５が固定されている。支承部材２５は、回転軸２の端部を回転可能に支持している。また、支承部材２５には、回転軸の冷媒流路７，８と冷媒配管２３，２４とを連通させる冷媒用の流路２６が設けられている。支承部材２５は適宜複数の部材によって構成することができ、本実施形態では、外筒と内筒の２部材からなる。また、本実施形態の支承部材２５は、回転軸２と支承部材２５の回転支承部から漏れる可能性がある冷媒を外部に排出するドレン配管２７，２８が設けられている。ドレン配管２７，２８はやはり付加ハウジング２１に挿通され、固定され、それらの先端で支承部材２５を支持するようになっている。
【００５５】
本実施形態の超電導同期機１においては、冷媒は付加ハウジングに取り付けられている供給側冷媒配管２３から回転軸の供給側の冷媒流路７を通り、回転板の冷媒流路６に流れ、バルク超電導体４を冷却した後に回転軸の回収側の冷媒流路８に流れ、付加ハウジングの回収側冷媒配管２４を通って冷媒源に戻る。
【００５６】
また、同一系統で異系統でもよい冷媒源から冷媒が、冷媒配管１０，１１を通って電機子の冷媒容器９の内部空間に流れ、電機子５を冷却した後に冷媒源に戻るようになっている。
【００５７】
ハウジング１２は、減圧ダクトまたは減圧ノズル１３から真空装置によって減圧され、運転時には内部が真空の状態になる。
【００５８】
また、付加ハウジング２１も、減圧ダクトまたは減圧ノズル２２から真空装置によって減圧され、運転時には内部が真空の状態になる。
【００５９】
図２は、正面から見た回転板３の内部の冷媒流路６を示している。
【００６０】
図２に示すように、本実施形態の回転板の冷媒流路６は左右両系統に別れ、導入部は回転軸２の供給側の冷媒流路７と連通し、それらはバルク超電導体４の周囲を可能な限り周回し、回転軸２の回収側の冷媒流路８に戻るように形成されている。
【００６１】
バルク超電導体４は、回転板３に設けられた孔に嵌着されるようになっている。
【００６２】
図３は、回転板３の内部の冷媒流路６の斜視図を示している。
【００６３】
図３から明らかなように、回転板３の冷媒流路６は、好ましくは回転板３に設けられた溝からなる。回転板３は、図３に示していない平面同形状の蓋を有し、その蓋をすることによって冷媒流路６が形成される。蓋にもバルク超電導体４の端面を露出させる孔が設けられており、これによって蓋をした状態でも、バルク超電導体４はその両端面が回転板３の外部に露出するようになっている。
【００６４】
図４は、バルク超電導体４の保持状態を示している。
【００６５】
図４に示すように、本発明においては、バルク超電導体４は、その結晶のｃ軸が回転軸２と平行になるように保持される。冷媒流路６はバルク超電導体４のｃ軸に関する側面、すなわちｃ軸と直交するａ，ｂ軸のさす周面を取り囲み、バルク超電導体４をｃ軸に関する側面から冷却するようになっている。
【００６６】
また、本実施形態によれば、バルク超電導体４のｃ軸方向両端面は回転板３の外部に露出している。
【００６７】
上記構造により、本実施形態の超電導同期機１によれば、バルク超電導体４のｃ軸方向両端面を可能な限り電機子５に近づけることができ、アキシャルギャップを可能な限り小さくすることができる。
【００６８】
また、一般にバルク超電導体４は、ｃ軸方向に磁束が集中し、ｃ軸方向端面の磁束密度が高い。それとともに、ｃ軸方向に関する側面、すなわちａ，ｂ軸がさす周面から冷却した場合に、バルク超電導体は冷却されやすいという性質を有している。
【００６９】
本発明はバルク超電導体の上記性質を余すことなく超電導同期機に利用したものである。すなわち、冷却しやすいバルク超電導体のｃ軸方向に関する側面からバルク超電導体４を冷却することにより、バルク超電導体４を効率冷却し、磁束密度が高いバルク超電導体のｃ軸方向端面を電機子５と対向させることにより、強い力を得、さらに、冷却されないｃ軸方向端面を回転板３から外部に露出させることにより、ｃ軸方向端面を可能な限り電機子５に近づけることができる。
【００７０】
また、本発明はバルク超電導体４の両磁極から出る磁束を利用することができるので、いっそう効率の高い超電導同期機を得ることができるのである。
【００７１】
なお、図４に示した断面図では、バルク超電導体４と冷媒流路６の間は、回転板３と一体の部材からなる仕切壁によって仕切られている。しかし、これに限られず、図５に示すように、バルク超電導体４と冷媒流路６の間は、回転板３と別部材２９からなる仕切壁によって仕切られるようにしてもよい。
【００７２】
さらに、図示していないが、バルク超電導体４は、そのｃ軸に関する側面が冷媒流路６の内部空間に開放され、冷媒によって直接冷やされるようにしても良い。
【００７３】
別部材２９によってバルク超電導体４と冷媒流路６とを仕切る場合は、伝熱性の高い金属を仕切壁に用いることにより、高い冷却効率を得ることができる。また、バルク超電導体４のｃ軸方向に関する側面を直接冷媒によって冷却するようにすれば、冷却に関しては、もっとも高い効率を得ることができる。
【００７４】
なお、回転軸２は、２重以上の多重管とすることができる。２重以上の多重管にすれば、回転板３の各冷媒流路６ごとに回転軸の冷媒流路を確保でき、より冷媒が安定的に流通するようにすることができる。
【００７５】
また、本実施形態によれば、回転軸２、回転板３、電機子５が全体としてハウジング１２の内部に収納される。前述したように、ハウジング１２の内部は真空状態に減圧される。これにより、回転軸２、回転板３、電機子５に対して優れた断熱性を発揮することができる。また、好ましくは、ハウジング１２は、真空室と防爆室を兼ねる強度とすることが好ましい。ハウジング１２が防爆室を兼ねる場合、万一冷媒が大量に漏れて急激に蒸発するような異常事態が生じても、爆発を防止し、安全な超電導同期機を得ることができる。
【００７６】
本実施形態の付加ハウジング２１は真空に減圧されることにより、ハウジング１２から突出した部分の回転軸２の断熱に寄与することができる。また、付加ハウジング２１は、回転軸２の末端の振れを防止する効果を有する。
【００７７】
すなわち、付加ハウジング２１は、基部がハウジング１２に固定され、供給側冷媒配管２３、回収側冷媒配管２４を介して支承部材２５を支持している（好ましくはドレン配管２７，２８も支承部材２５を支持するようにする）。支承部材２５は、回転軸２の末端部を回転可能に把持しているので、回転軸２の末端の振れ回りが効果的に防止される。さらに、回転軸２の全体が真空層によって断熱されるので、きわめて冷却効率の高い超電導同期機を得ることができる。
【００７８】
次に本発明の第２の実施形態について説明する。この実施形態は、バルク超電導体の全体を回転板に収納し、バルク超電導体の全周面からバルク超電導体を冷却するものである。
【００７９】
図６は本発明の第２の実施形態による回転板を正面から見たものである。
【００８０】
なお、図１〜５と同一部分については同一の符号を用いて示す。
【００８１】
図６に示すように、本実施形態の回転板３０は、内部に比較的大きな空洞部３１を有している。図６に例示する空洞部３１は円環状の形状を有しているが、空洞部の形状は円環に限られない。
【００８２】
本実施形態では、円環状の空洞部３１に周方向に８個のバルク超電導体４を収納し、固定している。
【００８３】
バルク超電導体４は、第１実施形態と同様に、結晶のｃ軸が回転軸２と平行になるように配置されている。
【００８４】
バルク超電導体４は、固定部材３２によって回転板３０のケーシングに固定されている。
【００８５】
回転軸２の供給側の冷媒流路７からは、４本の供給配管３３が放射状に設けられている。また、４本の回収配管３４が空洞部３１から回転軸２の回収側の冷媒流路８に連通されている。なお、供給配管３３と回収配管３４の長短も図６に示した場合の逆でもよい。また、供給配管３３と回収配管３４の数は図６に示したものに限られない。
【００８６】
図７は、第２実施形態のバルク超電導体４の収容固定状態を示す断面図である。
【００８７】
回転板３０は、その内部に空洞部３１を有し、バルク超電導体４は固定部材３２によって回転板３０のケーシングに固定され、空洞部３１の内部に収容されている。バルク超電導体４のｃ軸端面は、回転板３０のケーシングからわずかに離され、ｃ軸端面も冷媒によって冷やされるようにすることができる。
【００８８】
また、図７に示すように、回転板３０の外側をさらにケーシング３５を設けることができる。ケーシング３５は、回転板３０の外表面を覆い、その内部を真空にすることができる。これにより、回転板３０の外表面は真空室３６によって覆われ、高い断熱効果によって高い冷却効率を得ることができる。
【００８９】
ケーシング３５は、電機子と回転板と回転軸の全体を内包するハウジングを設けることができない場合に有用である。
【００９０】
図６と７から明らかなように、本第２実施形態によれば、バルク超電導体４は固定部材３２を除く外表面が冷媒に直接接触し、高い冷却効率を得ることができる。
【００９１】
また、ケーシング３５により、回転板３０を個々に断熱することができる。
【００９２】
図８は、電機子５の冷却室の変形例を示している。図１と同一部分については同一の符号を用いて示す。
【００９３】
図１の例では電機子５の表面の一部が冷媒容器９の内部空間に直接開放されているが、図８の例では、電機子５と冷媒容器９の内部空間は仕切壁３７によって仕切られている。
【００９４】
これにより、冷媒容器９の内部の冷媒が電機子を介して外部に漏れることを完全に防止することができる。また、電機子５との接触面積を大きくすることにより高い冷却効果を奏する。
【００９５】
このように電機子５を低温に冷却することにより、電機子５の電気抵抗が低下し、強い着磁電流や回転磁界を生じることができる。
【００９６】
図９は、本発明の変形例およびそれを応用した舶用ポッド推進機を概念的に示したものである。
【００９７】
本発明の第１実施形態と第２実施形態による超電導同期機は、いずれも図９のように直列の構造にすることができる。
【００９８】
本発明による舶用ポッド推進機は、回転板と電機子を複数枚直列的に配置した超電導同期機を舶用ポッド推進機のポッド内に収納し、ポッドから突出した回転軸の先端にプロペラ等の推進手段を設けたものである。この場合に、上述したハウジング１２の代わりにポッドを用いることができる。
【００９９】
図９に示すように直列構造とすることにより、電機子の間に配置されたバルク超電導体４はすべて両磁極から出る磁束が無駄なく利用される。
【０１００】
また、本発明による超電導同期機を直列構造にすることにより、推進抵抗が少なく、且つ、推進力が強い舶用ポッド推進機を得ることができる。
【０１０１】
すなわち、従来の舶用ポッド推進機は、限界があったバルク超電導体の磁界を補って強いトルクを得るために、バルク超電導体を筒状の回転子の周面に配置し、その外側に円筒状の電機子を設けたラジアルギャップ型の超電導同期機を用いていた。ラジアルギャップ型の超電導同期機によれば、広い面積のバルク超電導体を利用し、かつ、回転軸から離れたところで電機子との力の作用を生じることができる。
【０１０２】
しかし、回転軸から離れたところで電機子との力の作用を生じるということは、強いトルクを得られる反面、舶用ポッド推進機の外径の増大を招き、推進抵抗が増大した。
【０１０３】
これに対して、図９の構造のラジアルギャップ型の超電導同期機を用いた舶用ポッド推進機は、回転子と電機子の数を多くすれば比例して出力が大きくなり、にもかかわらず、舶用ポッド推進機の外径が変わらないので、推進抵抗の増加が緩やかである。
【０１０４】
このように、本発明の舶用ポッド推進機によれば、推進抵抗が小さく、推進力が強い舶用ポッド推進機を得ることができる。
【図面の簡単な説明】
【０１０５】
【図１】本発明の一実施形態による超電導同期機の縦断面図。
【図２】本発明の一実施形態による回転板の正面図。
【図３】本発明の一実施形態による回転板の斜視図。
【図４】本発明の一実施形態によるバルク超電導体の周辺の縦断面図。
【図５】本発明の一実施形態の変形例の縦断面図。
【図６】本発明の第二の実施形態による回転板の正面図。
【図７】本発明の第二の実施形態によるバルク超電導体の周辺の縦断面図。
【図８】本発明の電機子の周辺の構造の変形例を示す縦断面図。
【図９】回転板と電機子を直列構造とした本発明による舶用ポッド推進機の概略断面図。
【符号の説明】
【０１０６】
１  超電導同期機
２  回転軸
３  回転板
４  バルク超電導体
５  電機子
６  回転板の冷媒流路
７  回転軸の供給側の冷媒流路
８  回転軸の回収側の冷媒流路
９  電機子の冷媒容器
１０  冷媒配管
１１  冷媒配管
１２  ハウジング
１３  減圧ダクトまたは減圧ノズル
１４  窓
１５  スリーブ
１６  スリーブ
１７  ベアリング
１８  ベアリング
１９  シール材
２０  シール材
２１  付加ハウジング
２２  減圧ダクトまたは減圧ノズル
２３  供給側冷媒配管
２４  回収側冷媒配管
２５  支承部材
２６  冷媒用の流路
２７  ドレン配管
２８  ドレン配管
２９  仕切壁
３０  回転板
３１  空洞部
３２  固定部材
３３  供給配管
３４  回収配管
３５  ケーシング
３６  真空室
３７  仕切壁
【図１】
2005224000.tif 000003
【図２】
2005224000.tif 000004
【図３】
2005224000.tif 000005
【図４】
2005224000.tif 000006
【図５】
2005224000.tif 000007
【図６】
2005224000.tif 000008
【図７】
2005224000.tif 000009
【図８】
2005224000.tif 000010
【図９】
2005224000.tif 000011